(57)【特許請求の範囲】
【請求項１】
手持ち式電子装置に設けられ、第１の画像取得範囲を有し、第１の画像を取得する第１のレンズモジュールと、
該手持ち式電子装置に設けられ、前記第１の画像取得範囲と異なる第２の画像取得範囲を有し、第２の画像を取得する第２のレンズモジュールと、
画像を取得するユーザーによる入力を受信する入力ユニットと、
前記入力ユニットが前記ユーザーによる入力を受信すると、同時にそれぞれ前記第１のレンズモジュールと前記第２のレンズモジュールを制御して、前記第１の画像と前記第２の画像を取得させる制御ユニットと、
ディスプレイと、
前記手持ち式電子装置の方位を検出するための方位感知モジュールと、を含み、
前記手持ち式電子装置が撮影モードになった場合、
前記方位感知モジュールに検出された前記手持ち式電子装置の方位が第１の方位である時は、前記制御ユニットが前記ディスプレイを制御して、前記第１のレンズモジュールの前記第１の画像取得範囲を表示させ、
前記方位感知モジュールに検出された前記手持ち式電子装置の方位が第２の方位である時は、前記制御ユニットが前記ディスプレイを制御して、前記第２のレンズモジュールの前記第２の画像取得範囲を表示させる手持ち式電子装置。
【請求項２】
前記第１の画像が縦型画像であり、前記第２の画像が横型画像であり、前記第１のレンズモジュールの配置方位が、前記第２のレンズモジュールの配置方位にほぼ直交する請求項１に記載の手持ち式電子装置。
【請求項３】
前記手持ち式電子装置が前記撮影モードになり、且つ前記方位感知モジュールに検出された前記手持ち式電子装置の方位が前記第１の方位である場合には、前記制御ユニットが前記ディスプレイを制御して、１本又は複数の第１の撮影補助線を更に表示させて、前記第２の画像取得範囲を提示し、
前記手持ち式電子装置が前記撮影モードになり、且つ前記方位感知モジュールに検出された前記手持ち式電子装置の方位が前記第２の方位である場合には、前記制御ユニットが前記ディスプレイを制御して、１本又は複数の第２の撮影補助線を更に表示させて、前記第１の画像取得範囲を提示する請求項１に記載の手持ち式電子装置。
【請求項４】
前記手持ち式電子装置が前記撮影モードになり、且つ前記方位感知モジュールに検出された前記手持ち式電子装置の方位が前記第１の方位である場合には、前記制御ユニットが前記ディスプレイを制御して、前記第２の画像取得範囲の第１の縮小図を更に表示させ、
前記手持ち式電子装置が前記撮影モードになり、且つ前記方位感知モジュールに検出された前記手持ち式電子装置の方位が前記第２の方位である場合には、前記制御ユニットが前記ディスプレイを制御して、前記第１の画像取得範囲の第２の縮小図を更に表示させる請求項１に記載の手持ち式電子装置。
【請求項５】
前記手持ち式電子装置が閲覧モードになり、且つ前記方位感知モジュールに検出された前記手持ち式電子装置の方位が前記第１の方位である場合には、前記制御ユニットが前記ディスプレイを制御して、前記第１の画像を表示させ、
前記手持ち式電子装置が前記閲覧モードになり、且つ前記方位感知モジュールに検出された前記手持ち式電子装置の方位が前記第２の方位である場合には、前記制御ユニットが前記ディスプレイを制御して、前記第２の画像を表示させる請求項１に記載の手持ち式電子装置。
【請求項６】
前記第１の画像と前記第２の画像は、写真又は映像のうち少なくとも何れか一方を含む請求項１に記載の手持ち式電子装置。
【請求項７】
第１の画像取得範囲を有し、第１の画像を取得する第１のレンズモジュールと、第２の画像取得範囲を有し、第２の画像を取得する第２のレンズモジュールとを含む手持ち式電子装置に適用され、その内、前記第１の画像取得範囲と前記第２の画像取得範囲が異なり、
画像を取得するユーザーによる入力を受信するステップと、
前記ユーザーによる入力を受信すると、前記第１のレンズモジュールと前記第２のレンズモジュールが同時にそれぞれ前記第１の画像と前記第２の画像を取得するステップと、
前記手持ち式電子装置の方位を検出するステップと、
前記手持ち式電子装置が撮影モードになった場合に、
検出された前記手持ち式電子装置の方位が第１の方位である時は、前記手持ち式電子装置で前記第１のレンズモジュールの前記第１の画像取得範囲を表示し、
検出された前記手持ち式電子装置の方位が第２の方位である時は、前記手持ち式電子装置で前記第２のレンズモジュールの前記第２の画像取得範囲を表示するステップと、を含む二重像取得方法。
【請求項８】
前記第１の画像が縦型画像であり、前記第２の画像が横型画像である請求項７に記載の二重像取得方法。
【請求項９】
前記手持ち式電子装置が前記撮影モードになり、且つ検出された前記手持ち式電子装置の方位が前記第１の方位である場合に、１本又は複数の第１の撮影補助線を更に表示して、前記第２の画像取得範囲を提示するステップと、
前記手持ち式電子装置が前記撮影モードになり、且つ検出された前記手持ち式電子装置の方位が前記第２の方位である場合に、１本又は複数の第２の撮影補助線を更に表示して、前記第１の画像取得範囲を提示するステップと、
を更に含む請求項７に記載の二重像取得方法。
【請求項１０】
前記手持ち式電子装置が前記撮影モードになり、且つ検出された前記手持ち式電子装置の方位が前記第１の方位である場合に、前記第２の画像取得範囲の第１の縮小図を更に表示するステップと、
前記手持ち式電子装置が前記撮影モードになり、且つ検出された前記手持ち式電子装置の方位が前記第２の方位である場合に、前記第１の画像取得範囲の第２の縮小図を更に表示するステップと、
を更に含む請求項７に記載の二重像取得方法。
【請求項１１】
前記手持ち式電子装置が閲覧モードになり、且つ検出された前記手持ち式電子装置の方位が前記第１の方位である場合に、前記第１の画像を表示するステップと、
前記手持ち式電子装置が前記閲覧モードになり、且つ検出された前記手持ち式電子装置の方位が前記第２の方位である場合に、前記第２の画像を表示するステップと、
を更に含む請求項７に記載の二重像取得方法。
【請求項１２】
前記第１の画像と前記第２の画像は、写真又は映像のうち少なくとも何れか一方を含む請求項７に記載の二重像取得方法。
【請求項１３】
請求項７に記載の二重像取得方法を手持ち式電子装置に実行させるためのプログラム。
【発明の詳細な説明】
【技術分野】
【０００１】
本発明は、電子装置、それに適用される画像取得方法及びそれにロードされるプログラムに関し、特に、手持ち式電子装置、それに適用される二重像取得方法及びそれにロードされるプログラムに関する。
【背景技術】
【０００２】
３Ｃ（Ｃｏｍｐｕｔｅｒ,Ｃｏｍｍｕｎｉｃａｔｉｏｎｓ  ａｎｄ  Ｃｏｎｓｕｍｅｒ）産業の発展に伴い、手持ち式電子装置（ｈａｎｄｈｅｌｄ  ｅｌｅｃｔｒｉｃａｌ  ｄｅｖｉｃｅ）を日常生活中の補助手段として利用する人がますます増えている。よく見かける手持ち式電子装置は、例として、個人用携帯情報端末（ｐｅｒｓｏｎａｌ  ｄｉｇｉｔａｌ  ａｓｓｉｓｔａｎｔ、ＰＤＡ）、携帯電話（ｍｏｂｉｌｅ  ｐｈｏｎｅ）、スマートフォン（ｓｍａｒｔ  ｐｈｏｎｅ）等を含み、これらの手持ち式電子装置は、体積が小さく、携帯しやすいので、使用する人がますます多くなっており、所望の機能もますます増えている。
【発明の概要】
【発明が解決しようとする課題】
【０００３】
現在、手持ち式電子装置には、ほとんどカメラ機能が装備されている。その内、手持ち式電子装置のカメラで撮影した画像の大部分は、横型出力にプリセットされている。ユーザーは、撮影した画像を縦型出力にしようとすれば、縦型と横型の画面アスペクト比の違いで、表示画像を縮小したり、切り出すことが必要になるので、満足できる写真閲覧と観賞体験が得られず、その逆もまた然りである。映像を撮影する場合には、前記問題は、より深刻になり、多くのユーザーにとっては、一般に外部の又は隠された画像映像編集・処理ソフトウエアによって追加のエンコード（デコード）プログラムを行うことが必要であり、横型の映像画像を縦型に回転することで、縦型の画面で正確に観賞できるようにするが、同様にアスペクト比で縮小したり切り出すことが必要とする問題もある。そこで、ユーザーを困惑させてしまう。
【課題を解決するための手段】
【０００４】
そのため、本発明の一態様は、手持ち式電子装置を提供する。ユーザーが手持ち式電子装置に画像を取得させようとする場合、手持ち式電子装置は、異なる画像取得範囲を有するレンズモジュールを制御して、異なる画像取得範囲における画像を取得させる。手持ち式電子装置は、第１のレンズモジュール、第２のレンズモジュール、入力ユニット、制御ユニット、ディスプレイ、方位感知モジュールを含む。第１のレンズモジュールと第２のレンズモジュールは、それぞれ手持ち式電子装置に設けられる。第１のレンズモジュールは、第１の画像取得範囲を有し、第１の画像を取得する。第２のレンズモジュールは、第２の画像取得範囲を有し、第２の画像を取得する。なお、第１の画像取得範囲と第２の画像取得範囲は異なる。入力ユニットは、画像を取得するユーザーによる入力を受信する。入力ユニットがユーザーによる入力を受信すると、制御ユニットは、第１のレンズモジュールと第２のレンズモジュールを制御して、同時にそれぞれ第１の画像と第２の画像を取得させる。手持ち式電子装置が撮影モードになった場合、方位感知モジュールに検出された手持ち式電子装置の方位が第１の方位である時は、制御ユニットがディスプレイを制御して、第１のレンズモジュールの第１の画像取得範囲を表示させ、方位感知モジュールに検出された手持ち式電子装置の方位が第２の方位である時は、制御ユニットがディスプレイを制御して、第２のレンズモジュールの第２の画像取得範囲を表示させる。
【０００５】
本発明の他の態様は、二重像取得方法を提供する。二重像取得方法において、ユーザーが手持ち式電子装置に画像を取得させようとする場合、手持ち式電子装置は、異なる画像取得範囲を有するレンズモジュールを制御して、異なる画像取得範囲における画像を取得させる。二重像取得方法は、手持ち式電子装置に適用される。手持ち式電子装置は、第１のレンズモジュールと第２のレンズモジュールを含む。第１のレンズモジュールは、第１の画像取得範囲を有し、第１の画像を取得する。第２のレンズモジュールは、第２の画像取得範囲を有し、第２の画像を取得する。第１の画像取得範囲と第２の画像取得範囲とは異なっている。二重像取得方法は、画像を取得するユーザーによる入力を受信するステップと、ユーザーによる入力を受信すると、第１のレンズモジュールと第２のレンズモジュールが、同時にそれぞれ第１の画像と第２の画像を取得するステップと、手持ち式電子装置の方位を検出するステップと、手持ち式電子装置が撮影モードになった場合に、検出された手持ち式電子装置の方位が第１の方位である時は、手持ち式電子装置で第１のレンズモジュールの第１の画像取得範囲を表示し、検出された手持ち式電子装置の方位が第２の方位である時は、手持ち式電子装置で第２のレンズモジュールの第２の画像取得範囲を表示するステップとを含む。さらに、本発明の他の態様は、二重取得方法を手持ち式電子装置に実行させるためのプログラムを提供する。
【発明の効果】
【０００６】
本発明を応用すれば、以下のメリットがある。ユーザーは、手持ち式電子装置を移動せず、手持ち式電子装置に同時に異なる範囲における画像を取得させることができる。そのため、一瞬にして消え去る画像を撮影する場合に、異なる取得範囲に気を配れないことで、所望の範囲の画像を撮影できないという残念なことを避けられる。なお、手持ち式電子装置で取得した画像が映像である場合には、縦軸画像と横軸画像のように数目が異なる画像は、異なるレンズモジュールに取得されるので、２種類の画像の間の縦軸画像と横軸画像の異なりによる別の映像エンコード（デコード）負担が避けられる。
【図面の簡単な説明】
【０００７】
【図１】本発明の一実施形態による手持ち式電子装置の背面図である。
【図２】図１の手持ち式電子装置の機能ブロック図である。
【図３】図１の手持ち式電子装置が縦にされた時の正面図を示す。
【図４】図１の手持ち式電子装置が横にされた時の正面図を示す。
【図５】図１の手持ち式電子装置１００に表示された撮影補助線を示す一実施例である。
【図６】図１の手持ち式電子装置１００に表示された撮影補助線を示す他の実施例である。
【図７】図１の手持ち式電子装置１００が縮小図を表示する一実施例である。
【図８】図１の手持ち式電子装置１００が縮小図を表示する他の実施例である。
【図９】本発明の一実施形態による二重像取得方法のフロー図である。
【発明を実施するための形態】
【０００８】
以下、図面及び詳細な説明を通じて、本発明の精神を詳しく説明するが、本発明の好ましい実施例を理解してから、当業者であれば、本発明に記載の技術によって、変更又は修正を加えることができ、それは本発明の精神と範囲から逸脱したということではない。
【０００９】
図１は、本発明の一実施形態による手持ち式電子装置の背面図である。図２は、図１の手持ち式電子装置の機能ブロック図である。ユーザーが手持ち式電子装置に画像を取得させようとする場合には、手持ち式電子装置は、異なる画像取得範囲を有するレンズモジュールを制御して、異なる画像取得範囲における画像を取得する。
【００１０】
手持ち式電子装置１００は、制御ユニット１１０、第１のレンズモジュール１２０、第２のレンズモジュール１３０、入力ユニット１４０を含む。第１のレンズモジュール１２０と第２のレンズモジュール１３０は、それぞれ手持ち式電子装置１００に設けられる。第１のレンズモジュール１２０、第２のレンズモジュール１３０、入力ユニット１４０は、それぞれ制御ユニット１１０に電気的に接続される。入力ユニット１４０は、ボタンやキーボード、グラフィカルユーザーインターフェース（Ｇｒａｐｈｉｃａｌ  Ｕｓｅｒ  Ｉｎｔｅｒｆａｃｅ、ＧＵＩ）、他のタイプの入力ユニットであってよい。
【００１１】
第１のレンズモジュール１２０は、第１の画像取得範囲を有する。第２のレンズモジュール１３０は、第２の画像取得範囲を有する。その内、第１の画像取得範囲と第２の画像取得範囲とは異なっている。入力ユニット１４０は、画像を取得するユーザーによる入力を受信する。入力ユニット１４０がユーザーによる入力を受信すると、制御ユニット１１０は、第１のレンズモジュール１２０と第２のレンズモジュール１３０を制御して、同時にそれぞれ第１の画像と第２の画像を取得させる。なお、手持ち式電子装置１００に取得される第１の画像と第２の画像は、写真、映像又は他のタイプの画像を含んでよい。このように、ユーザーは、手持ち式電子装置１００を移動せず、手持ち式電子装置１００に同時に異なる範囲における画像を取得させることができる。そのため、一瞬にして消え去る画像を撮影する場合に、異なる取得範囲に気を配れないことで、所望の範囲の画像を撮影できないという残念なことを避けられる。
【００１２】
本発明の一実施例において、第１のレンズモジュール１２０に取得された第１の画像を縦型画像とし、第２のレンズモジュール１３０に取得された第２の画像を横型画像とすることができる。そのため、第１のレンズモジュール１２０の配置方位は、第２のレンズモジュール１３０の配置方位にほぼ直交させてよい。その結果、第１のレンズモジュール１２０に取得された第１の画像（縦型画像）は、第２のレンズモジュール１３０に取得された第２の画像（横型画像）にほぼ直交する。つまり、ユーザーは、手持ち式電子装置１００を移動せず、縦型画像と横型画像を同時に取得させることができる。なお、ユーザーが映像撮影モードを選択した場合、横型撮影だけできる従来の手持ち式電子装置では、縦型スクリーンで観賞したい時、ユーザーは、装置に長時間のトランスコーディング（ｔｒａｎｓ-ｃｏｄｉｎｇ）を行われることを待たなければならず、つまり、オリジナルの圧縮された横型画像のデコードを行ってから、完全な縦型映像圧縮のエンコードを行わなければならない。この過程はごく長くて、ユーザーがすぐに切り換えて観賞できないだけではなく、映像が不可逆式の映像圧縮を二回されたことで品質が低下することもある。本発明の設計を使用すれば、ユーザーは時間を問わず観賞モードを自由に切り替えることができ、２つのモードの映像はともに最適な品質を保持することができる。
【００１３】
なお、手持ち式電子装置１００は、並べられる異なる方位（例えば、縦又は横にされる）によって、異なるレンズモジュールに取得された異なる画像取得範囲を表示できる。そのため、手持ち式電子装置１００は、ディスプレイ１５０と方位感知モジュール１６０を更に含んでよい。方位感知モジュール１６０は、手持ち式電子装置１００の方位を検出する。なお、方位感知モジュール１６０として、重力センサ（ｇ  ｓｅｎｓｏｒ）又はその他の方位を検出できるデバイスを使用してよい。そこで、撮影モードになった場合に、手持ち式電子装置１００は、方位感知モジュール１６０に検出された手持ち式電子装置１００の方位によって、ディスプレイ１５０を制御して、異なるレンズモジュールに取得された範囲を表示することができる。その内、方位感知モジュール１６０に検出された手持ち式電子装置１００の方位が第１の方位である場合には、制御ユニット１１０は、ディスプレイ１５０を制御して、第１のレンズモジュール１２０に取得された第１の画像取得範囲を表示させ、方位感知モジュール１６０に検出された手持ち式電子装置１００の方位が第２の方位である場合には、制御ユニット１１０は、ディスプレイ１５０を制御して、第２のレンズモジュール１３０に取得された第２の画像取得範囲を表示させる。なお、第１の方位と第２の方位とは異なっている。このように、撮影モードの場合には、手持ち式電子装置１００は、異なる並べられる方位によって、そのディスプレイ１５０を適時に制御して、異なるレンズモジュールに取得された異なる画像取得範囲を表示させることができる。つまり、撮影モードの場合には、ユーザーは、手持ち式電子装置１００を異なる方位に並べることによって、手持ち式電子装置１００に取得されて表示する範囲を変更することができる。
【００１４】
図３は、図１の手持ち式電子装置が縦にされた時の正面図を示す。図４は、図１の手持ち式電子装置が横にされた時の正面図を示す。本発明の一実施例において、縦にされることを手持ち式電子装置１００の第１の方位にプリセットし、横にされることを手持ち式電子装置１００の第２の方位にプリセットしてよい。そして、方位感知モジュール１６０に検出された手持ち式電子装置１００の方位が縦にされた方位（第１の方位）である場合には、制御ユニット１１０は、ディスプレイ１５０を制御して、第１のレンズモジュール１２０が第１の画像取得範囲で取得した縦型画像を表示させる（図３に示すように）。方位感知モジュール１６０に検出された手持ち式電子装置１００の方位が横にされた第２の方位である場合には、制御ユニット１１０は、ディスプレイ１５０を制御して、第２のレンズモジュール１３０が第２の画像取得範囲で取得した横型画像を表示させる（図４に示すように）。しかし、他の実施例においては、第１の方位と第２の方位は、手持ち式電子装置１００の他の異なる並べ方位にプリセットしてよく、本開示に限定されない。このように、撮影モードの場合には、ユーザーは、手持ち式電子装置１００の方位を縦又は横にすることによって、ディスプレイ１５０に、対応する縦型画像又は横型画像を表示させることができ、ユーザーの操作が便利になった。なお、縦型画像がディスプレイ１５０に横に表示されたり、横型画像がディスプレイ１５０に縦に表示されたりすることによる表示面積の浪費を避けられ、更に、ディスプレイ１５０の表示面積を十分に利用できる。
【００１５】
なお、手持ち式電子装置１００は、その内の１つのレンズモジュールに取得された画像を表示する時、表示された画像に撮影補助線を更に表示することによって、ユーザーに他のレンズモジュールに取得された範囲を提示することができる。そのため、手持ち式電子装置１００が撮影モードになり、且つ方位感知モジュール１６０に検出された手持ち式電子装置１００の方位が第１の方位である場合には、制御ユニット１１０は、ディスプレイ１５０を制御して、第１のレンズモジュール１２０に取得された第１の画像取得範囲を表示させ、表示された第１の画像取得範囲に１本又は複数の第１の撮影補助線を更に表示させる。その内、第１の撮影補助線は、第２のレンズモジュール１３０に取得された第２の画像取得範囲の第１の画像取得範囲に対する位置を提示する。本発明の一実施例において、第１の撮影補助線は、表示された第１の画像取得範囲における特定な位置に発生するようにプリセットしてよい。本発明の他の実施例において、第１のレンズモジュール１２０に取得された第１の画像取得範囲における画像と第２のレンズモジュール１３０に取得された第２の画像取得範囲における画像に対して、画像照合を行うことによって、第１の撮影補助線が第１の画像取得範囲における位置を得るようにしてもよい。しかし、他の実施例においては、他の方法によって、第１の撮影補助線の取得された第１の画像取得範囲に対する画像の位置を得ることもでき、本開示に限定されない。
【００１６】
なお、手持ち式電子装置１００が撮影モードになり、且つ方位感知モジュール１６０に検出された手持ち式電子装置１００の方位が第２の方位である場合には、制御ユニット１１０は、ディスプレイ１５０を制御して、第２のレンズモジュール１３０に取得された第２の画像取得範囲を表示させ、表示された第２の画像取得範囲に１本又は複数の第２の撮影補助線を更に表示させて、第１のレンズモジュール１２０に取得された第１の画像取得範囲の位置を提示する。このように、その内の１つのレンズモジュールに取得された範囲を表示する時に、撮影補助線の提示によって、ユーザーに他のレンズモジュールに取得された範囲を知らせる。
【００１７】
図５は、図１の手持ち式電子装置１００に表示された撮影補助線を示す一実施例である。図６は、図１の手持ち式電子装置１００に表示された撮影補助線を示す他の実施例である。例として、縦にされることを手持ち式電子装置１００の第１の方位にプリセットし、横にされることを手持ち式電子装置１００の第２の方位にプリセットしてよい。そして、手持ち式電子装置１００が撮影モードになり、且つ方位感知モジュール１６０に検出された手持ち式電子装置１００の方位が縦にされた方位（第１の方位）である場合には、制御ユニット１１０は、ディスプレイ１５０を制御して、第１のレンズモジュール１２０に取得された第１の画像取得範囲における第１の画像（縦型画像）２０１を表示させ、第１の画像２０１に１本の第１の撮影補助線２０１ａを更に表示させる（図５に示すように）。その内、第１の撮影補助線２０１ａは、第２のレンズモジュール１３０に取得された第２の画像取得範囲の第１の画像取得範囲に対する位置を提示する。なお、方位感知モジュール１６０に検出された手持ち式電子装置１００の方位が横にされた方位（第２の方位）である場合には、制御ユニット１１０は、ディスプレイ１５０を制御して、第２の画像取得範囲における第２の画像（横型画像）２０２に１本の第２の撮影補助線２０２ａを更に表示させて（図６に示すように）、第１のレンズモジュール１２０に取得された第１の画像取得範囲の位置を提示する。このように、縦型画像を撮影する場合には、ユーザーに横型画像の範囲を提示したり、横型画像を撮影する場合には、ユーザーに縦型画像の範囲を提示したりして、撮影を補助することができる。しかし、他の実施例においては、画像を表示する時、複数の撮影補助線を更に表示でき、本開示に限定されない。
【００１８】
手持ち式電子装置１００は、その内の１つのレンズモジュールに取得された画像を表示する時、他のレンズモジュールに取得された縮小図を更に表示することができる。そのため、手持ち式電子装置１００が撮影モードになり、且つ方位感知モジュール１６０に検出された手持ち式電子装置１００の方位が第１の方位である場合には、制御ユニット１１０は、ディスプレイ１５０を制御して、第２の画像取得範囲の縮小図を更に表示させる。手持ち式電子装置１００が撮影モードになり、且つ方位感知モジュール１６０に検出された手持ち式電子装置１００の方位が第２の方位である場合には、制御ユニット１１０は、ディスプレイ１５０を制御して、第１の画像取得範囲の縮小図を更に表示させる。このように、その内の１つのレンズモジュールに取得された画像を表示する時、縮小図によってユーザーに他のレンズモジュールに取得された範囲における画像を知らせることができる。
【００１９】
図７は、図１の手持ち式電子装置１００が縮小図を表示する一実施例を示す。図８は、図１の手持ち式電子装置１００が縮小図を表示する他の実施例を示す。例として、縦にされることを手持ち式電子装置１００の第１の方位にプリセットし、横にされることを手持ち式電子装置１００の第２の方位にプリセットしてよい。そして、手持ち式電子装置１００が撮影モードになり、且つ方位感知モジュール１６０に検出された手持ち式電子装置１００の方位が縦にされた方位（第１の方位）である場合には、制御ユニット１１０は、ディスプレイ１５０を制御して、第１のレンズモジュール１２０に取得された第１の画像取得範囲における第１の画像（縦型画像）３０１を表示させ、第２の画像取得範囲における横型画像の縮小図３０１ａを更に表示させる（図７に示すように）。手持ち式電子装置１００が撮影モードになり、且つ方位感知モジュール１６０に検出された手持ち式電子装置１００の方位が横にされた方位（第２の方位）である場合には、制御ユニット１１０は、ディスプレイ１５０を制御して、第２のレンズモジュール１３０に取得された第２の画像取得範囲における第２の画像（横型画像）３０２を表示させ、第１の画像取得範囲の縦型画像の縮小図３０２ａを更に表示させる（図８に示すように）。
【００２０】
手持ち式電子装置１００が閲覧モードになると、手持ち式電子装置１００は、方位が異なることによって、異なる画像を表示することもできる。そのため、手持ち式電子装置１００が閲覧モードになり、且つ方位感知モジュール１６０に検出された手持ち式電子装置１００の方位が第１の方位である場合には、制御ユニット１１０は、ディスプレイ１５０を制御して、第１の画像を表示させる。手持ち式電子装置１００が閲覧モードになり、且つ方位感知モジュール１６０に検出された手持ち式電子装置１００の方位が第２の方位である場合には、制御ユニット１１０は、ディスプレイ１５０を制御して、第２の画像を表示させる。このように、閲覧モードの場合には、手持ち式電子装置１００は、異なる並べられる方位によって、そのディスプレイ１５０を制御して、異なる画像取得範囲で取得された画像を表示させる。つまり、ユーザーは、手持ち式電子装置１００を異なる方位に並べることによって、手持ち式電子装置１００に表示される画像を変更して閲覧を行うことができ、ユーザーの操作が便利になった。
【００２１】
なお、手持ち式電子装置１００は、ユーザーによって設定された興味特徴（好みの特徴）によって、第１の画像取得範囲と第２の画像取得範囲の設定を行うことができる。そのため、制御ユニット１１０は、入力ユニット１４０から興味特徴を受信することができる。制御ユニット１１０は、興味特徴によって、第１の画像の第１の画像取得範囲と第２の画像の第２の画像取得範囲を自動的に決めて、興味特徴が第１の画像取得範囲と第２の画像取得範囲内にあるようにする。そのため、第１のレンズモジュール１２０は、第１の画像取得範囲によって、興味特徴を有する第１の画像を取得し、第２のレンズモジュール１３０は、第２の画像取得範囲によって、興味特徴を有する第２の画像を取得することができる。なお、興味特徴は、人の顔特徴、スマイル特徴等にプリセットしてよい。このように、ユーザーは興味がある興味特徴が、画像内に取得されなかったこと避けられる。
【００２２】
図９は、本発明の一実施形態による二重像取得方法のフロー図である。二重像取得方法において、ユーザーは、手持ち式電子装置に画像を取得させようとする場合には、手持ち式電子装置は、異なる画像取得範囲を有するレンズモジュールを制御して、異なる画像取得範囲における画像を取得させる。二重像取得方法は、手持ち式電子装置に適用される。手持ち式電子装置は、第１のレンズモジュールと第２のレンズモジュールを含む。第１のレンズモジュールは、第１の画像取得範囲を有する。第２のレンズモジュールは、第２の画像取得範囲を有する。第１の画像取得範囲と第２の画像取得範囲とは異なっている。二重像取得方法は、実際に、少なくとも１つのプログラムコマンドを含むコンピュータプログラム製品とすることができる。コンピュータプログラム製品の少なくとも１つのプログラムコマンドは、手持ち式電子装置にロードされる。コンピュータプログラム製品中の少なくとも１つのプログラムコマンドが手持ち式電子装置にロードされた後、手持ち式電子装置は、二重像取得方法のステップを実行する。コンピュータプログラム製品は、手持ち式電子装置の読み取り可能な記録媒体に保存されてよく、手持ち式電子装置がこの記録媒体を読み取ってから二重像取得方法を実行することができる。手持ち式電子装置の読み取り可能な記録媒体は、読み出し専用メモリ、フラッシュメモリ、ハードディスク、コンパクトディスク、ＵＳＢディスク、ネットワークからアクセス可能なデータベース又は当業者が簡単に想到できる同様な機能を有する手持ち式電子装置の読み取り可能な記録媒体であってよい。
【００２３】
二重像取得方法４００は、以下のステップを含む。
【００２４】
ステップ４１０において、画像を取得するユーザーによる入力を受信する。
【００２５】
ステップ４２０において、ユーザーによる入力（ステップ４１０）を受信すると、手持ち式電子装置の第１のレンズモジュールと第２のレンズモジュールは、同時にそれぞれ第１の画像と第２の画像を取得する。その内、第１の画像は、第１のレンズモジュールが第１の画像取得範囲で取得した画像であり、第２の画像は、第２のレンズモジュールが第２の画像取得範囲で取得した画像である。第１の画像と第２の画像は、写真、映像又は他のタイプの画像を含んでよい。このように、ユーザーは、手持ち式電子装置を移動せず、同時に異なる範囲における画像を取得させることができる。
【００２６】
ステップ４２０の一実施例において、第１のレンズモジュールが第１の画像取得範囲で取得した第１の画像を縦型画像とし、第２のレンズモジュールが第２の画像取得範囲で取得した第２の画像を横型画像とすることができる。このように、ユーザーは、手持ち式電子装置を移動せず、縦型画像と横型画像を同時に取得させることができる。そのため、一瞬にして消え去る画像を撮影する場合に、異なる取得範囲に気を配れないことで、所望の範囲の画像を撮影できないという残念なことを避けられる。なお、ユーザーが映像撮影モードを選択した場合、横型撮影だけできる従来の手持ち式電子装置において、縦型スクリーンで観賞したい時、ユーザーは、装置に長時間のトランスコーディング（ｔｒａｎｓ-ｃｏｄｉｎｇ）を行われることを待たなければならず、つまり、オリジナルの圧縮された横型画像のデコードを行ってから、完全な縦型映像圧縮のエンコードを行わなければならない。この過程はごく長くて、ユーザーがすぐに切り換えて観賞できないだけではなく、映像が不可逆式の映像圧縮を二回されたことで品質が低下することもある。本発明の設計を使用すれば、ユーザーは時間を問わず観賞モードを自由に切り替えることができ、２つのモードの映像はともに最適な品質を保持することができる。
【００２７】
なお、手持ち式電子装置は、並べられる異なる方位（例えば、縦又は横にされる）によって、異なるレンズモジュールに取得された異なる画像取得範囲を表示できる。そのため、ステップ４３０において、手持ち式電子装置の方位を検出することができる。なお、重力センサ又はその他の方位を検出できるデバイスを使用して、ステップ４３０の検出を行うことができる。
【００２８】
ステップ４４０において、検出された手持ち式電子装置の方位が第１の方位であり、且つ手持ち式電子装置が撮影モードになった場合には、手持ち式電子装置で第１のレンズモジュールの画像取得範囲を表示する。
【００２９】
ステップ４５０において、検出された手持ち式電子装置の方位が第２の方位であり、且つ手持ち式電子装置が撮影モードになった場合には、手持ち式電子装置で第２のレンズモジュールの画像取得範囲を表示する。なお、第１の方位と第２の方位とは異なっている。このように、撮影モードの場合には、異なる並べられる方位によって、手持ち式電子装置で異なるレンズモジュールに取得された異なる画像取得範囲を表示することができる。つまり、ユーザーは、手持ち式電子装置を異なる方位に並べることによって、手持ち式電子装置が取得して表示する画像を変更できる。なお、第１の方位を縦にされる手持ち式電子装置とし、第２の方位を横にされる手持ち式電子装置とすることができ、第１の方位に対応する第１の画像が縦型画像であり、第２の方位に対応する第２の画像が横型画像である。このように、撮影モードの場合には、ユーザーは、手持ち式電子装置の方位を縦又は横にすることによって、手持ち式電子装置に、対応する範囲における縦型画像又は横型画像を表示させることができ、ユーザーの操作が便利になった。なお、縦型画像が手持ち式電子装置に横に表示されたり、横型画像が手持ち式電子装置に縦に表示されたりすることによる表示面積の浪費を避けられ、更に、手持ち式電子装置における表示面積を十分に利用できる。
【００３０】
なお、手持ち式電子装置は、その内の１つのレンズモジュールに取得された画像を表示する時、表示された画像に撮影補助線を更に表示することによって、ユーザーに他のレンズモジュールに取得された範囲を提示することができる。そのため、検出された手持ち式電子装置の方位が第１の方位であり、且つ手持ち式電子装置が撮影モードになった場合には、ステップ４４０で取得されて表示した範囲において、手持ち式電子装置に１本又は複数の第１の撮影補助線を更に表示させてよい。その内、第１の撮影補助線は、第２のレンズモジュールに取得された第２の画像取得範囲の第１のレンズモジュールに取得された第１の画像範囲に対する位置を提示する。なお、検出された手持ち式電子装置の方位が第２の方位であり、且つ手持ち式電子装置が撮影モードになった場合には、ステップ４５０で取得されて表示した範囲において、手持ち式電子装置に１本又は複数の第２の撮影補助線を更に表示させてよい。その内、第２の撮影補助線は、第１のレンズモジュールに取得された第１の画像取得範囲の第２のレンズモジュールに取得された第２の画像範囲に対する位置を提示する。このように、その内の１つのレンズモジュールに取得された範囲を表示する時、撮影補助線の提示によって、ユーザーが他のレンズモジュールに取得された範囲を知ることができ、便利になった。
【００３１】
手持ち式電子装置は、その内の１つのレンズモジュールに取得された画像を表示する時、他のレンズモジュールに取得された縮小図を更に表示してよい。そのため、検出された手持ち式電子装置の方位が第１の方位であり、且つ手持ち式電子装置が撮影モードになった場合には、ステップ４４０で表示された画像において、手持ち式電子装置に第２の画像取得範囲における第１の縮小図を更に表示させてよい。なお、検出された手持ち式電子装置の方位が第２の方位であり、且つ手持ち式電子装置が撮影モードになった場合には、ステップ４５０で表示された画像において、手持ち式電子装置に第１の画像取得範囲における第２の縮小図を更に表示させてよい。このように、その内の１つのレンズモジュールに取得された画像を表示する時、縮小図によって、ユーザーに他のレンズモジュールに取得された範囲における画像を知らせることができる。
【００３２】
閲覧モードになった場合には、手持ち式電子装置は、方位が異なることによって、異なる画像を表示することもできる。そのため、ステップ４３０で検出された手持ち式電子装置の方位が第１の方位であり、且手持ち式電子装置が閲覧モードになった場合には、手持ち式電子装置に第１のレンズモジュールに取得された第１の画像を表示させる。なお、ステップ４３０で検出された手持ち式電子装置の方位が第２の方位であり、且手持ち式電子装置が閲覧モードになった場合には、手持ち式電子装置に第２のレンズモジュールに取得された第２の画像を表示させる。このように、閲覧モードの場合には、手持ち式電子装置の異なる並べられる方位によって、異なるレンズモジュールに取得された画像を表示することができ、ユーザーの操作が便利になった。
【００３３】
なお、ステップ４２０で画像を取得する根拠として、ユーザーに設定された興味特徴によって、第１の画像取得範囲と第２の画像取得範囲の設定を行うこともできる。そのため、二重像取得方法４００は、興味特徴を受信するステップを更に含んでよい。興味特徴によって、第１の画像の第１の画像取得範囲と第２の画像の第２の画像取得範囲を自動的に決めて、興味特徴が第１の画像取得範囲と第２の画像取得範囲内にあるようにする。なお、興味特徴は、人の顔特徴、スマイル特徴等にプリセットしてよい。そして、ステップ４２０において、第１のレンズモジュールと第２のレンズモジュールは、それぞれ設定された第１の画像取得範囲と第２の画像取得範囲によって、第１の画像と第２の画像を同時に取得することができる。このように、ユーザーは興味がある興味特徴が画像内に取得されなかったこと避けられる。
【００３４】
前記本発明の実施形態から、本発明を応用すれば、下記メリットがあることが分かる。ユーザーは、手持ち式電子装置を移動せず、手持ち式電子装置に、同時に異なる範囲における画像を取得させることができる。そのため、一瞬にして消え去る画像を撮影する場合に、異なる取得範囲に気を配れないことで、所望の範囲の画像を撮影できないという残念なことを避けられる。なお、手持ち式電子装置で取得した画像が映像である場合にも、観賞モードをすぐに切り替えられ、最適な観賞品質を保持できるなどのメリットがある。
【００３５】
以上、本発明を実施形態を用いて開示したが、これは本発明を限定するものではなく、当業者であれば、本発明の精神と領域から逸脱しない限り、多様の変動や修正を加えることができ、従って、本発明の保護範囲は、特許請求の範囲で指定した内容を基準とする。
【符号の説明】
【００３６】
１００  手持ち式電子装置、１１０  制御ユニット、１２０  第１のレンズモジュール、１３０  第２のレンズモジュール、１４０  入力ユニット、１５０  ディスプレイ、１６０  方位感知モジュール、２０１  第１の画像、２０１ａ  第１の撮影補助線、２０２  第２の画像、２０２ａ  第２の撮影補助線、３０１  第１の画像、３０１ａ  横型画像の縮小図、３０２  第２の画像、３０２ａ  縦型画像の縮小図、４００  二重像取得方法、４１０〜４５０  ステップ
【図１】
0005365885.tif 000002
【図２】
0005365885.tif 000003
【図３】
0005365885.tif 000004
【図４】
0005365885.tif 000005
【図５】
0005365885.tif 000006
【図６】
0005365885.tif 000007
【図７】
0005365885.tif 000008
【図８】
0005365885.tif 000009
【図９】
0005365885.tif 000010